(57)【要約】【課題】精査処理時に収納部に収納された通貨のうち一部の通貨を回収する場合に、ユーザの作業負担が増大するのを抑制することが可能な通貨処理装置を提供する。【解決手段】この通貨処理装置１００は、通貨を収納する収納部３と、収納部３に収納した通貨の数量を確認する精査処理時に通貨の数量を測定する数量測定部２と、通貨を回収する回収部４と、精査処理を行っている場合に、ユーザの設定に基づく所定の枚数の通貨を回収部４に送る制御を行う制御部１と、を備える。【選択図】図３
2019066975.tif 000002
【特許請求の範囲】
【請求項１】
通貨を収納する収納部と、
前記収納部に収納した通貨の数量を確認する精査処理時に通貨の数量を測定する数量測定部と、
通貨を回収する回収部と、
精査処理を行っている場合に、ユーザの設定に基づく所定の枚数の通貨を前記回収部に送る制御を行う制御部と、を備える、通貨処理装置。
【請求項２】
精査処理時に並行して前記所定の枚数の通貨を前記回収部に送るか否かを設定可能に構成されている、請求項１に記載の通貨処理装置。
【請求項３】
精査処理時に並行して通貨を前記回収部に送る場合、前記回収部に送る通貨の枚数、または、前記収納部に戻す通貨の枚数を設定可能に構成されている、請求項１または２に記載の通貨処理装置。
【請求項４】
前記制御部は、精査処理を行っている場合に、前記収納部の設計上の収納可能枚数を超過した枚数の通貨を前記回収部に送る制御を行うように構成されている、請求項１〜３のいずれか１項に記載の通貨処理装置。
【請求項５】
前記制御部は、精査処理時に並行して前記所定の枚数の通貨を前記回収部に送る制御と、精査処理時に並行して回収を行わない精査処理を行う制御とを、時間帯に応じて、切り替えるように構成されている、請求項１〜４のいずれか１項に記載の通貨処理装置。
【発明の詳細な説明】
【技術分野】
【０００１】
この発明は、通貨処理装置に関し、特に、通貨を収納する収納部を備える通貨処理装置に関する。
【背景技術】
【０００２】
従来、通貨を収納する収納部を備える通貨処理装置が知られている（たとえば、特許文献１参照）。
【０００３】
上記特許文献１には、通貨を収納する収納部を備え、収納部に収納した通貨の数量を精査（確認）する貨幣処理機（通貨処理装置）が開示されている。この特許文献１の貨幣処理機は、精査処理時に精査する通貨を一旦全て払い出すように構成されている。
【先行技術文献】
【特許文献】
【０００４】
【特許文献１】特開２０１３−２４６７８７号公報
【発明の概要】
【発明が解決しようとする課題】
【０００５】
しかしながら、上記特許文献１の貨幣処理機（通貨処理装置）では、精査処理時に精査する通貨を一旦全て払い出すため、ユーザが払い出された通貨のうちの一部の通貨を回収する場合に、払い出された残りの通貨をユーザが手動で貨幣処理機に投入する（戻す）必要がある。このため、精査処理時に収納部に収納された通貨のうち一部の通貨を回収する場合に、ユーザの作業負担が増大するという問題点がある。
【０００６】
この発明は、上記のような課題を解決するためになされたものであり、この発明の１つの目的は、精査処理時に収納部に収納された通貨のうち一部の通貨を回収する場合に、ユーザの作業負担が増大するのを抑制することが可能な通貨処理装置を提供することである。
【課題を解決するための手段】
【０００７】
上記目的を達成するために、この発明の一の局面による通貨処理装置は、通貨を収納する収納部と、収納部に収納した通貨の数量を確認する精査処理時に通貨の数量を測定する数量測定部と、通貨を回収する回収部と、精査処理を行っている場合に、ユーザの設定に基づく所定の枚数の通貨を回収部に送る制御を行う制御部と、を備える。なお、通貨は、硬貨などの貨幣と、銀行券などの紙幣とを含む概念である。
【０００８】
上記一の局面による通貨処理装置では、上記のような制御部を設けることにより、精査処理時にユーザの設定に基づく所定の枚数の通貨が回収部に自動的に送られるので、回収部に送られた一部の通貨をユーザが容易に回収することができる。これにより、精査処理時に収納部に収納された通貨のうち一部の通貨を回収する場合に、ユーザが通貨処理装置に通貨を戻すなどの作業を行う必要がないので、ユーザの作業負担が増大するのを抑制することができる。
【０００９】
上記一の局面による通貨処理装置において、好ましくは、精査処理時に並行して所定の枚数の通貨を回収部に送るか否かを設定可能に構成されている。このように構成すれば、精査処理時に必要に応じてユーザが収納部の通貨を回収することができる。また、精査処理時に通貨の回収の必要が無い場合には、精査後に通貨を収納部に戻すことができるので、ユーザが通貨を扱うことなく、通貨処理装置を次の処理に移行させることができる。
【００１０】
上記一の局面による通貨処理装置において、好ましくは、精査処理時に並行して通貨を回収部に送る場合、回収部に送る通貨の枚数、または、収納部に戻す通貨の枚数を設定可能に構成されている。このように構成すれば、回収部に送る通貨の枚数がユーザにより設定された場合、ユーザが所望の枚数の通貨を回収することができる。また、収納部に戻す通貨の枚数がユーザにより設定された場合、精査処理終了後に釣銭用に必要な枚数の通貨を収納部に確実に収納するとともに、釣銭用に必要な枚数を超える通貨を回収することができる。
【００１１】
上記一の局面による通貨処理装置において、好ましくは、制御部は、精査処理を行っている場合に、収納部の設計上の収納可能枚数を超過した枚数の通貨を回収部に送る制御を行うように構成されている。このように構成すれば、収納部の設計上の収納可能枚数を超える通貨が収納部に戻されることがないので、収納部に通貨が詰まるのを抑制することができる。
【００１２】
上記一の局面による通貨処理装置において、好ましくは、制御部は、精査処理時に並行して所定の枚数の通貨を回収部に送る制御と、精査処理時に並行して回収を行わない精査処理を行う制御とを、時間帯に応じて、切り替えるように構成されている。このように構成すれば、たとえば、回収が必要な時間帯には、精査処理と並行して収納部の通貨を回収することができる。また、回収が必要のない、たとえば、始業時の時間帯などには、精査処理のみを行い、迅速に次の処理に移行することができる。
【発明の効果】
【００１３】
本発明によれば、上記のように、精査処理時に収納部に収納された通貨のうち一部の通貨を回収する場合に、ユーザの作業負担が増大するのを抑制することができる。
【図面の簡単な説明】
【００１４】
【図１】本発明の一実施形態による通貨処理装置を備える通貨処理システムを示したブロック図である。
【図２】本発明の一実施形態による通貨処理装置の各部の構成を説明するための図である。
【図３】本発明の一実施形態による通貨処理装置の精査処理（混合庫）を説明するためのフローチャートである。
【図４】本発明の一実施形態による通貨処理装置の精査処理（千円庫）を説明するためのフローチャートである。
【発明を実施するための形態】
【００１５】
以下、本発明を具体化した実施形態を図面に基づいて説明する。
【００１６】
（通貨処理装置の構成）
図１および図２を参照して、本発明の一実施形態による通貨処理装置（釣銭機）１００の構成について説明する。
【００１７】
図１に示す本発明の一実施形態による通貨処理装置１００は、通貨処理システム４００に設けられている。通貨処理システム４００は、紙幣（銀行券）を処理する通貨処理装置１００と、貨幣（硬貨）を処理する通貨処理装置２００と、装置３００とを備えている。装置３００は、たとえば、ＰＯＳ（ｐｏｉｎｔ  ｏｆ  ｓａｌｅｓ）レジスタやコンピュータなどである。通貨処理装置１００は、紙幣（銀行券）を収納可能に構成されている。また、通貨処理装置１００は、つり銭として、紙幣を出金するように構成されている。通貨処理装置２００は、貨幣（硬貨）を収納可能に構成されている。また、通貨処理装置２００は、つり銭として、貨幣を出金するように構成されている。また、通貨処理システム４００は、スーパーマーケットなどの店舗に設置されて、ＰＯＳシステムの一部を構築する装置である。通貨処理システム４００は、販売者（ユーザ）が会計などを行う状態で用いられる。
【００１８】
図１に示すように、通貨処理装置１００は、制御部１と、数量測定部２と、収納部３と、回収部４と、通信部５とを備えている。通貨処理装置２００は、制御部２０１と、通信部２０２とを備えている。装置３００は、制御部３０１と、通信部３０２とを備えている。通貨処理装置１００、通貨処理装置２００および装置３００は、通信部５、２０２および３０２を介して互いに通信可能に接続されている。
【００１９】
通貨処理装置１００は、図２に示すように、入金部６と、精査庫７と、搬送部８とを備えている。また、通貨処理装置１００は、計数センサ２１と計数センサ２２とが設けられている。また、通貨処理装置１００は、図１の収納部３として、混合庫３１と、千円庫３２とが設けられている。また、通貨処理装置１００は、回収庫４１と、出金口４２とが設けられている。
【００２０】
制御部１は、ＣＰＵおよびメモリを含み、通貨処理装置１００各部を制御するように構成されている。
【００２１】
また、制御部１は、収納部３の通貨の収納枚数を管理する制御を行うように構成されている。具体的には、制御部１は、混合庫３１および千円庫３２に収納されている通貨の枚数を、金種毎に区別して管理している。また、制御部１は、精査庫７および回収庫４１に収納されている通貨の枚数を、金種毎に区別して管理している。制御部１は、収納部３の収納枚数情報と、計数センサ２１または２２により計数された収納枚数情報および出金枚数情報と、に基づいて、収納部３に収納されている通貨の枚数を管理するように構成されている。つまり、制御部１は、新収納枚数＝旧収納枚数＋収納枚数−出金枚数として、通貨の枚数を更新して管理する。
【００２２】
制御部１は、入金部６から投入された通貨を識別し、通貨が正貨であるか否かを判定する。また、制御部１は、識別した通貨を、金種毎に振り分けて、混合庫３１または千円庫３２に収納する制御を行う。具体的には、制御部１は、入金部６から入金された通貨を搬送部８により搬送しながら、計数センサ２１により、識別する。この際に、計数センサ２１により、通貨が正貨であるか否か、および、金種（千円札、二千円札、五千円札、一万円札）が判定される。制御部１は、識別した媒体が正貨であれば、入金部６により一時保留する制御を行う。また、制御部１は、通貨の入金が確定すると、一時保留した通貨を、金種毎に区別して、混合庫３１または千円庫３２に収納する制御を行う。千円札は、千円庫３２に収納される。二千円札、五千円札および一万円札は、混合庫３１に収納される。また、制御部１は、通貨の返金が確定すると、一時保留した通貨を、出金口４２から出金する制御を行う。制御部１は、識別した媒体が正貨でなければ、出金口４２に排出する制御を行う。
【００２３】
また、制御部１は、混合庫３１および千円庫３２から通貨を搬送部８により送り出す制御を行う。たとえば、制御部１は、釣銭として通貨を出金する場合や、通貨の数量を精査する精査処理を行う場合に、収納部３（混合庫３１および千円庫３２）から通貨を送り出す。また、この場合、制御部１は、収納部３から送り出される通貨を計数センサ２２により計数して、収納部３から送り出される通貨の枚数を記録する。具体的には、制御部１は、計数センサ２２により、金種を判別するとともに、送り出される通貨の枚数を金種毎に記録する。
【００２４】
制御部１は、釣銭用の通貨を収納部３（混合庫３１および千円庫３２）から繰り出して、出金口４２に排出する制御を行うように構成されている。具体的には、制御部１は、計数センサ２２により、収納部３から繰り出される通貨の種類および枚数を計測して、釣銭に必要な通貨を搬送部８により出金口４２に搬送する。なお、混合庫３１には、複数の金種（二千円札、五千円札および一万円札）が収納されているので、払い出す金種以外の金種は、精査庫７に送られる。つまり、払出しの際に、混合庫３１に収納された通貨は、払い出される通貨が出金口４２に送られ、払い出されない分は、精査庫７に送られる。精査庫７に送られた通貨は、所定のタイミングにおいて、混合庫３１に戻される。
【００２５】
ここで、制御部１は、収納部３（混合庫３１および千円庫３２）に収納した通貨の数量を精査（確認）する精査処理を行うよう制御する。精査処理とは、収納部３に収納された通貨の数量（枚数）を数え直す処理である。具体的には、収納部３から搬送部８を介して通貨が精査庫７に送り出される。この際に、計数センサ２２により、送られる通貨の金種および数量が計測される。精査庫７に送られた通貨は、所定のタイミングにおいて、収納部３（混合庫３１または千円庫３２）に戻される。つまり、収納部３の通貨を出金口４２から外に出すことなく、通貨処理装置１００内の循環により精査処理が行われる。精査処理は、ユーザの操作に基づいて開始される。
【００２６】
数量測定部２は、収納部３に収納した通貨の数量を精査処理時に測定するように構成されている。具体的には、数量測定部２は、計数センサ２２を含んでいる。数量測定部２は、精査処理時に、収納部３から搬送部８により精査庫７に送り出される通貨の数量を、金種毎に測定する。
【００２７】
収納部３は、通貨を収納するように構成されている。具体的には、収納部３の混合庫３１には、複数の金種の紙幣が混合されて収納される。混合庫３１には、二千円札、五千円札および一万円札が収納される。収納部３の千円庫３２には、千円札が収納される。
【００２８】
回収部４は、通貨を回収するように構成されている。具体的には、回収部４は、ユーザが通貨処理装置１００に収納されている通貨を回収する際に、通貨が送り出されるように構成されている。回収部４は、回収庫４１および出金口４２を含む。具体的には、ユーザの操作により、通貨を回収のために送り出す先を回収庫４１または出金口４２のいずれかに選択することが可能である。回収庫４１は、箱形状を有しており、内部に通貨を収容可能に構成されている。また、箱形状の回収庫４１には、扉が設けられており、扉を開けることにより、内部の通貨を取り出すことが可能に構成されている。また、箱形状の回収庫４１は、通貨処理装置１００に対して着脱可能に構成されている。これにより、扉を開けることなく、箱ごと通貨を回収することが可能である。出金口４２には、シャッターが設けられており、シャッターが開くことにより、出金口４２に送られた通貨を取り出すことが可能に構成されている。なお、出金口４２は、釣銭用の通貨が出金される機能も有している。
【００２９】
通信部５は、通信信号を送受信するように構成されている。具体的には、通信部５は、通貨処理装置１００の制御部１と、外部の通貨処理装置２００および外部の装置３００との間の通信信号の送受信を行うように構成されている。通信部５は、有線通信により通信を行うように構成されている。なお、通信部５は、無線通信により通信を行ってもよい。
【００３０】
入金部６は、通貨を通貨処理装置１００の内部に入金するための入口部分である。入金部６は、複数枚の通貨を同時に入金することが可能に構成されている。
【００３１】
精査庫７は、収納部３（混合庫３１および千円庫３２）の通貨を一時的に保留するように構成されている。具体的には、精査庫７は、精査処理時に混合庫３１および千円庫３２から送られる通貨を一時的に収容するように構成されている。また、精査庫７は、混合庫３１からの出金時に、出金する通貨以外の通貨を一時的に収容するように構成されている。
【００３２】
搬送部８は、通貨処理装置１００内において、通貨を搬送するように構成されている。具体的には、搬送部８は、入金部６から入金された通貨を、金種に応じて混合庫３１または千円庫３２に搬送するように構成されている。また、搬送部８は、精査時において、混合庫３１または千円庫３２に収納された通貨を精査庫７に搬送するように構成されている。また、搬送部８は、出金時において、混合庫３１に収納された通貨を精査庫７または出金口４２に搬送するように構成されている。また、搬送部８は、出金時において、千円庫３２に収納された通貨を出金口４２に搬送するように構成されている。また、搬送部８は、回収時において、混合庫３１または千円庫３２に収納された通貨を回収庫４１または出金口４２に搬送するように構成されている。また、搬送部８は、精査庫７に収容された通貨を戻す場合に、精査庫７の通貨を混合庫３１または千円庫３２に搬送するように構成されている。
【００３３】
通貨処理装置２００の制御部２０１は、制御部１と同様に、ＣＰＵおよびメモリを含み、通貨処理装置２００の各部を制御するように構成されている。通貨処理装置２００の通信部２０２は、通信信号を送受信するように構成されている。具体的には、通信部２０２は、制御部２０１と、通貨処理装置１００および装置３００との間の通信信号の送受信を行うように構成されている。通信部２０２は、有線通信により通信を行うように構成されている。なお、通信部２０２は、無線通信により通信を行ってもよい。
【００３４】
外部の装置３００の制御部３０１は、ＣＰＵおよびメモリを含み、装置３００各部を制御するように構成されている。装置３００の通信部３０２は、通信信号を送受信するように構成されている。具体的には、通信部３０２は、制御部３０１と、通貨処理装置１００および２００との間の通信信号の送受信を行うように構成されている。通信部３０２は、有線通信により通信を行うように構成されている。なお、通信部３０２は、無線通信により通信を行ってもよい。
【００３５】
ここで、本実施形態では、制御部１は、精査処理を行っている場合に、ユーザの設定に基づく所定の枚数の通貨を回収部４に送る制御を行うように構成されている。また、通貨処理装置１００は、精査処理時に並行して所定の枚数の通貨を回収部４に送るか否かを設定可能に構成されている。具体的には、操作部によるユーザの操作に基づいて、通貨処理装置１００は、精査処理時に並行して所定の枚数の通貨を回収部４に送るか否かが設定可能に構成されている。精査処理時に並行して所定の枚数の通貨を回収部４に送る設定を無効にするか、収納部３に残す通貨の枚数が０枚と設定された場合、通常の精査処理が行われる。また、精査処理時に並行して所定の枚数の通貨を回収部４に送る設定は、金種毎に設定可能である。
【００３６】
また、通貨処理装置１００は、精査処理時に並行して通貨を回収部４に送る場合、回収部４に送る通貨の枚数、または、収納部３に戻す通貨の枚数を設定可能に構成されている。具体的には、操作部によるユーザの操作に基づいて、通貨処理装置１００は、回収部４に送る通貨の枚数、または、収納部３に戻す通貨の枚数が設定可能に構成されている。収納部３に戻す通貨の枚数が設定された場合、収納部３に戻す以外の通貨が回収部４に送られる。なお、回収部４に送られる通貨の枚数は１枚以上が設定される。
【００３７】
また、通貨処理装置１００は、精査処理時に並行して通貨を回収部４に送る場合、通貨の送り先を設定可能に構成されている。具体的には、操作部によるユーザの操作に基づいて、通貨処理装置１００は、回収時に通貨を送る送り先を回収庫４１または出金口４２のいずれかに設定することが可能である。
【００３８】
制御部１は、精査処理を行っている場合に、収納部３の設計上の収納可能枚数を超過した枚数の通貨を回収部４に送る制御を行うように構成されている。具体的には、制御部１は、通貨処理装置１００のハードスペックに関する設定値に基づいて、精査時の計数時に収納可能枚数を超過した金種について、指定された回収先に搬送し回収する制御を行うように構成されている。また、この場合、制御部１は、精査処理とともに回収を行う機能よりも、超過した金種の通貨の回収機能を優先して行うように構成されている。つまり、各金種について、回収する枚数が設定（指定）されている場合でも、超過した金種の通貨を回収することが優先される。つまり、この場合、設定枚数よりも多い枚数の通貨が回収される場合もある。制御部１は、通貨の枚数が収納可能枚数以下となった場合、精査処理とともに回収を行う機能により通貨処理装置１００を動作させる。
【００３９】
また、制御部１は、精査処理時に並行して所定の枚数の通貨を回収部４に送る制御と、精査処理時に並行して回収を行わない精査処理を行う制御とを、時間帯に応じて、切り替えるように構成されている。つまり、通貨処理装置１００は、時間帯によって、精査処理のみを行う場合と、精査処理時に回収を行う場合とを、自動的に切り替える。このような機能は、遠隔の装置により監視機能として設けられていてもよい。
【００４０】
次に、図３および図４を参照して、通貨処理装置１００の精査処理について説明する。精査処理は、制御部１により行われる。
【００４１】
精査処理では、図３に示すように、混合庫３１の通貨の精査が行われる。その後、図４に示すように、千円庫３２の通貨の精査が行われる。つまり、精査処理では、二千円札、五千円札および一万円札の精査が行われ、その後、千円札の精査が行われる。
【００４２】
図３のステップＳ１において、精査庫７から混合庫３１に通貨（紙幣）が戻される。そして、ステップＳ２において、混合庫３１の計数が実行される。具体的には、混合庫３１から一枚ずつ通貨が搬出されて、計数センサ２２により計測される。
【００４３】
ステップＳ３において、混合庫３１がフル超過状態か否かが判断される。つまり、混合庫３１が設計上の収納可能枚数を超過しているか否かが判断される。なお、この判断は、精査が終了する前で、正確な通貨の枚数が確定していないので、制御部１が管理している通貨の枚数により判断される。超過していれば、ステップＳ４に進み、超過していなければ、ステップＳ７に進む。
【００４４】
ステップＳ４において、回収先が判断される。つまり、通貨の回収時の搬送先が回収庫４１および出金口４２のいずれに設定されているかが判断される。出金口４２に設定されていれば、ステップＳ５に進み、回収庫４１に設定されていれば、ステップＳ６に進む。ステップＳ５において、混合庫３１から搬出された通貨が出金口４２に搬送される。その後、ステップＳ２に戻る。ステップＳ６において、混合庫３１から搬出された通貨が回収庫４１に搬送される。その後、ステップＳ２に戻る。
【００４５】
ステップＳ７において、精査中の回収処理が有効であるか無効であるかが判断される。有効であれば、ステップＳ８に進み、無効であれば、ステップＳ１２に進む。ステップＳ８において、混合庫３１から排出された通貨が回収対象であるか否かが判断される。たとえば、混合庫３１に残す通貨の枚数よりも混合庫３１に収納されている通貨の枚数の方が多いか否かが判断される。なお、この判断は、制御部１が管理している通貨の枚数により判断される。また、回収した通貨の枚数が回収予定の枚数よりも小さいか否かが判断される。回収対象であれば、ステップＳ９に進み、回収対象でなければ、ステップＳ１２に進む。
【００４６】
ステップＳ９において、回収先が判断される。つまり、通貨の回収時の搬送先が回収庫４１および出金口４２のいずれに設定されているかが判断される。出金口４２に設定されていれば、ステップＳ１０に進み、回収庫４１に設定されていれば、ステップＳ１１に進む。ステップＳ１０において、混合庫３１から搬出された通貨が出金口４２に搬送される。その後、ステップＳ１３に進む。ステップＳ１１において、混合庫３１から搬出された通貨が回収庫４１に搬送される。その後、ステップＳ１３に進む。
【００４７】
ステップＳ１２において、混合庫３１から搬出された通貨が精査庫７に搬送される。その後、ステップＳ１３に進む。ステップＳ１３において、混合庫３１が空か否かが判断される。混合庫３１が空であれば、ステップＳ１４に進み、混合庫３１に通貨が残っていれば、ステップＳ２に戻る。つまり、混合庫３１が空になるまで、ステップＳ２〜Ｓ１２の処理が繰り返される。混合庫３１が空になると、ステップＳ１４において、精査庫７から混合庫３１に通貨（紙幣）が戻される。これにより、混合庫３１の精査処理が終了する。
【００４８】
図４のステップＳ１５において、千円庫３２の計数が実行される。具体的には、千円庫３２から一枚ずつ通貨が搬出されて、計数センサ２２により計測される。
【００４９】
ステップＳ１６において、千円庫３２がフル超過状態か否かが判断される。つまり、千円庫３２が設計上の収納可能枚数を超過しているか否かが判断される。なお、この判断は、精査が終了する前で、正確な通貨の枚数が確定していないので、制御部１が管理している通貨の枚数により判断される。超過していれば、ステップＳ１７に進み、超過していなければ、ステップＳ２０に進む。
【００５０】
ステップＳ１７において、回収先が判断される。つまり、通貨の回収時の搬送先が回収庫４１および出金口４２のいずれに設定されているかが判断される。出金口４２に設定されていれば、ステップＳ１８に進み、回収庫４１に設定されていれば、ステップＳ１９に進む。ステップＳ１８において、千円庫３２から搬出された通貨が出金口４２に搬送される。その後、ステップＳ１５に戻る。ステップＳ１９において、千円庫３２から搬出された通貨が回収庫４１に搬送される。その後、ステップＳ１５に戻る。
【００５１】
ステップＳ２０において、精査中の回収処理が有効であるか無効であるかが判断される。有効であれば、ステップＳ２１に進み、無効であれば、ステップＳ２５に進む。ステップＳ２１において、千円庫３２から排出された通貨が回収対象であるか否かが判断される。たとえば、千円庫３２に残す通貨の枚数よりも千円庫３２に収納されている通貨の枚数の方が多いか否かが判断される。なお、この判断は、制御部１が管理している通貨の枚数により判断される。また、回収した通貨の枚数が回収予定の枚数よりも小さいか否かが判断される。回収対象であれば、ステップＳ２２に進み、回収対象でなければ、ステップＳ２５に進む。
【００５２】
ステップＳ２２において、回収先が判断される。つまり、通貨の回収時の搬送先が回収庫４１および出金口４２のいずれに設定されているかが判断される。出金口４２に設定されていれば、ステップＳ２３に進み、回収庫４１に設定されていれば、ステップＳ２４に進む。ステップＳ２３において、千円庫３２から搬出された通貨が出金口４２に搬送される。その後、ステップＳ２６に進む。ステップＳ２４において、千円庫３２から搬出された通貨が回収庫４１に搬送される。その後、ステップＳ２６に進む。
【００５３】
ステップＳ２５において、千円庫３２から搬出された通貨が精査庫７に搬送される。その後、ステップＳ２６に進む。ステップＳ２６において、千円庫３２が空か否かが判断される。千円庫３２が空であれば、ステップＳ２７に進み、千円庫３２に通貨が残っていれば、ステップＳ１５に戻る。つまり、千円庫３２が空になるまで、ステップＳ１５〜Ｓ２５の処理が繰り返される。千円庫３２が空になると、ステップＳ２７において、精査庫７から千円庫３２に通貨（紙幣）が戻される。これにより、千円庫３２の精査処理が終了する。
【００５４】
ステップＳ２８において、回収先の出金口４２または回収庫４１が開閉される。出金口４２または回収庫４１が開けられることにより、回収予定の通貨が回収される。その後、精査処理が終了される。
【００５５】
（本実施形態の効果）
本実施形態では、以下のような効果を得ることができる。
【００５６】
本実施形態では、上記のように、精査処理を行っている場合に、ユーザの設定に基づく所定の枚数の通貨を回収部４に送る制御を行う制御部１を設ける。これにより、精査処理時にユーザの設定に基づく所定の枚数の通貨が回収部４に自動的に送られるので、回収部４に送られた一部の通貨をユーザが容易に回収することができる。これにより、精査処理時に収納部３に収納された通貨のうち一部の通貨を回収する場合に、ユーザが通貨処理装置１００に通貨を戻すなどの作業を行う必要がないので、ユーザの作業負担が増大するのを抑制することができる。
【００５７】
また、本実施形態では、上記のように、通貨処理装置１００を、精査処理時に並行して所定の枚数の通貨を回収部４に送るか否かを設定可能に構成する。これにより、精査処理時に必要に応じてユーザが収納部３の通貨を回収することができる。また、精査処理時に通貨の回収の必要が無い場合には、精査後に通貨を収納部３に戻すことができるので、ユーザが通貨を扱うことなく、通貨処理装置１００を次の処理に移行させることができる。
【００５８】
また、本実施形態では、上記のように、精査処理時に並行して通貨を回収部４に送る場合、回収部４に送る通貨の枚数、または、収納部３に戻す通貨の枚数を設定可能に構成する。これにより、回収部４に送る通貨の枚数がユーザにより設定された場合、ユーザが所望の枚数の通貨を回収することができる。また、収納部３に戻す通貨の枚数がユーザにより設定された場合、精査処理終了後に釣銭用に必要な枚数の通貨を収納部３に確実に収納するとともに、釣銭用に必要な枚数を超える通貨を回収することができる。
【００５９】
また、本実施形態では、上記のように、制御部１を、精査処理を行っている場合に、収納部３の設計上の収納可能枚数を超過した枚数の通貨を回収部４に送る制御を行うように構成する。これにより、収納部３の設計上の収納可能枚数を超える通貨が収納部３に戻されることがないので、収納部３に通貨が詰まるのを抑制することができる。
【００６０】
また、本実施形態では、上記のように、制御部１を、精査処理時に並行して所定の枚数の通貨を回収部４に送る制御と、精査処理時に並行して回収を行わない精査処理を行う制御とを、時間帯に応じて、切り替えるように構成する。これにより、たとえば、回収が必要な時間帯には、精査処理と並行して収納部３の通貨を回収することができる。また、回収が必要のない、たとえば、始業時の時間帯などには、精査処理のみを行い、迅速に次の処理に移行することができる。
【００６１】
（変形例）
今回開示された実施形態は、全ての点で例示であり制限的なものではないと考えられるべきである。本発明の範囲は上記実施形態の説明ではなく特許請求の範囲によって示され、さらに特許請求の範囲と均等の意味および範囲内での全ての変更（変形例）が含まれる。
【００６２】
たとえば、上記実施形態では、紙幣（銀行券）を収納可能な通貨処理装置に本発明を適用する例を示したが、これに限られない。貨幣（硬貨）を収納可能な通貨処理装置に本発明を適用してもよい。つまり、硬貨の精査処理を行う場合に、ユーザの設定に基づく所定の枚数の硬貨を回収部に送る構成であってもよい。
【００６３】
また、上記実施形態では、通貨処理装置が、日本円の通貨を収納し、精査処理する構成の例を示したが、本発明はこれに限られない。本発明では、通貨処理装置が、日本円以外の通貨を収納し、精査処理する構成であってもよい。たとえば、通貨処理装置が、ドル、ユーロ、ポンド、人民元などの通貨を収納し、精査処理する構成であってもよい。
【００６４】
また、上記実施形態では、収納部が複数の金種の通貨を収納可能な混合庫を含む構成の例を示したが、本発明はこれに限られない。本発明では、収納部として、通貨の金種毎に収納庫が設けられていてもよい。
【００６５】
また、上記実施形態では、通貨処理装置の内部に通貨を循環させて精査処理を行う構成の例を示したが、本発明はこれに限られない。本発明では、通貨処理装置の外部に通貨を排出しながら精査処理を行ってもよい。
【００６６】
また、上記実施形態では、精査処理の際に精査前の収納庫枚数および残置枚数とで判定し、回収対象であれば回収を行う例を示したが、本発明はこれに限られない。本発明では、最初に残置枚数分を精査庫に搬送し、残置枚数分を超えた通貨に対し、判定処理を行っても良い。これにより、収納庫内の状況に関わらず、ユーザーが設定した残置枚数を正確に残すことが可能である。
【００６７】
また、上記実施形態では、説明の便宜上、制御部の処理を、処理フローに沿って順番に処理を行う「フロー駆動型」のフローチャートを用いて説明したが、本発明はこれに限られない。本発明では、制御部の処理を、イベント単位で処理を実行する「イベント駆動型（イベントドリブン型）」の処理により行ってもよい。この場合、完全なイベント駆動型で行ってもよいし、イベント駆動およびフロー駆動を組み合わせて行ってもよい。
【符号の説明】
【００６８】
１  制御部
２  数量測定部
３  収納部
４  回収部
１００  通貨処理装置
【図１】
2019066975.tif 000003
【図２】
2019066975.tif 000004
【図３】
2019066975.tif 000005
【図４】
2019066975.tif 000006